(57)【要約】 【課題】古紙活用によりリサイクル効率を向上させ得ると共に、積載荷重が大きい場合にもこれを安定的に支持し得る強度を有し、然も比較的軽量で取り扱い性に優れ、製造コストの低減も期し得る紙製のパレットを提供する。【解決手段】デッキボード２と、これを下方から支持する平行した複数の桁材３を具える紙製のパレットである。桁材３は、フルートがライナ間に介在されてなる紙製の段ボールの表裏面に紙管原紙からなる板紙を貼り合わせてなる板状部材を用いて構成する。桁材３はＶ字状枠２１を具え、Ｖカット溝で折曲して構成する。Ｖ字状枠２１の対向する傾斜片２６，２６においては、フルートの溝の延長方向Ｆ１が傾斜片２６の傾斜方向Ｆ２に合致している。【選択図】図２
2012012058.tif 000002
【特許請求の範囲】
【請求項１】
デッキボードと、該デッキボードを下方から支持する桁材とを具える紙製のパレットであって、
前記デッキボードと前記桁材は、波形に形成されたフルートがライナ間に介在されてなる紙製の段ボールの表裏面に、紙管原紙の１枚乃至複数枚からなる板紙を貼り合わせてなる板状部材を用いて構成されており、
前記桁材は全て、下方に向けて細くなり且つ下端部分の第１のＶ字状折曲部を介してＶ字状に形成されたＶ字状枠を具えており、該Ｖ字状枠の下端で被設置部に設置されるものとなされており、
該第１のＶ字状折曲部は、前記板状部材が、その一方の板紙側から他方の板紙側に向けて形成され該他方の板紙を切断しないように欠切されたＶカット溝の最深部を中心として折曲され、且つ該Ｖカット溝の左右のカット面が当接されることによって構成されており、
又、該Ｖ字状枠の対向する傾斜片においては、前記段ボールの前記波形のフルートの溝の延長方向が該傾斜片の傾斜方向に合致されていることを特徴とする紙製のパレット。
【請求項２】
デッキボードと、該デッキボードを下方から支持する平行した複数の桁材とを具える紙製のパレットであって、
前記桁材は、前記デッキボードの幅方向の少なくとも両側に配置されるものであり、前記デッキボードと前記桁材は、波形に形成されたフルートがライナ間に介在されてなる紙製の段ボールの表裏面に、紙管原紙の１枚乃至複数枚からなる板紙を貼り合わせてなる板状部材を用いて構成されており、
前記桁材は全て、下方に向けて細くなり且つ下端部分の第１のＶ字状折曲部を介してＶ字状に形成されたＶ字状枠を具えており、該Ｖ字状枠の下端で被設置部に設置されるものとなされており、
前記デッキボードの幅方向の両側に配置される前記桁材は、前記Ｖ字状枠の外の上端縁が前記デッキボードの側端に第２のＶ字状折曲部を介して連設されており、又、該Ｖ字状枠の内の上端縁に、第３のＶ字状折曲部を介して、前記デッキボードの下面に接着される水平固定片が該Ｖ字状枠の外方に向けて連設されており、
前記第１〜３の各Ｖ字状折曲部は、前記板状部材が、その一方の板紙側から他方の板紙側に向けて形成され該他方の板紙を切断しないように欠切されたＶカット溝の最深部を中心として折曲されて構成されており、少なくとも前記第１のＶ字状折曲部にあっては、前記Ｖカット溝の左右のカット面が当接されており、
又、前記Ｖ字状枠の対向する傾斜片においては、前記段ボールの前記波形のフルートの溝の延長方向が該傾斜片の傾斜方向に合致されていることを特徴とする紙製のパレット。
【請求項３】
デッキボードと、該デッキボードを下方から支持する平行した複数の桁材とを具える紙製のパレットであって、
前記桁材は、前記デッキボードの幅方向の両側に配置される側部の桁材と、該幅方向の中間部に配置される中間の桁材とからなり、前記デッキボードと前記桁材は、波形に形成されたフルートがライナ間に介在されてなる紙製の段ボールの表裏面に、紙管原紙の１枚乃至複数枚からなる板紙を貼り合わせてなる板状部材を用いて構成されており、
前記桁材は全て、下方に向けて細くなり且つ下端部分の第１のＶ字状折曲部を介してＶ字状に形成されたＶ字状枠を具えており、該Ｖ字状枠の下端で被設置部に設置されるものとなされており、
前記側部の桁材は、前記Ｖ字状枠の外の上端縁が前記デッキボードの側端に第２のＶ字状折曲部を介して連設されており、又、該Ｖ字状枠の内の上端縁に、第３のＶ字状折曲部を介して、前記デッキボードの下面に接着される水平固定片が該Ｖ字状枠の外方に向けて連設されており、
又、前記中間の桁材は、前記Ｖ字状枠の両上端縁の夫々に、第４のＶ字状折曲部を介して、前記デッキボードの下面に接着される水平固定片が該Ｖ字状枠の外方に向けて連設されており、前記第１〜４の各Ｖ字状折曲部は、前記板状部材が、その一方の板紙側から他方の板紙側に向けて形成され該他方の板紙を切断しないように欠切されたＶカット溝の最深部を中心として折曲されており、少なくとも前記第１のＶ字状折曲部にあっては、前記Ｖカット溝の左右のカット面が当接されており、
又、前記Ｖ字状枠の対向する傾斜片においては、前記段ボールの前記波形のフルートの溝の延長方向が該傾斜片の傾斜方向に合致されていることを特徴とする紙製のパレット。
【請求項４】
デッキボードと、該デッキボードを下方から支持する平行した複数の桁材とを具える紙製のパレットであって、
前記桁材は、前記デッキボードの幅方向の少なくとも両側に配置されるものであり、前記デッキボードと前記桁材は、波形に形成されたフルートがライナ間に介在されてなる紙製の段ボールの表裏面に、紙管原紙の１枚乃至複数枚からなる板紙を貼り合わせてなる板状部材を用いて構成されており、
前記桁材は全て、前記デッキボードとは別体であり、下方に向けて細くなり且つ下端部分の第１のＶ字状折曲部を介してＶ字状に形成されたＶ字状枠を具えており、該Ｖ字状枠の下端で被設置部に設置されるものとなされており、
該Ｖ字状枠の両上端縁の夫々に、第４のＶ字状折曲部を介して、前記デッキボードの下面に接着される水平固定片が該Ｖ字状枠の外方に向けて連設されており、
前記第１のＶ字状折曲部と前記第４のＶ字状折曲部は、前記板状部材が、その一方の板紙側から他方の板紙側に向けて形成され該他方の板紙を切断しないように欠切されたＶカット溝の最深部を中心として折曲されることによって構成されており、少なくとも前記第１のＶ字状折曲部にあっては、前記Ｖカット溝の左右のカット面が当接されており、
又、前記Ｖ字状枠の対向する傾斜片においては、前記段ボールの前記波形のフルートの溝の延長方向が該傾斜片の傾斜方向に合致されていることを特徴とする紙製のパレット。
【請求項５】
前記Ｖ字状枠の対向する傾斜片においては、前記紙管原紙の流れ目の方向（紙管原紙を製造する抄紙機から流れ出る方向）が該傾斜片の傾斜方向に合致されていることを特徴とする請求項１〜４の何れかに記載の紙製のパレット。
【請求項６】
前記Ｖカット溝の内、前記第１のＶ字状折曲部を除いた他のＶ字状折曲部を構成するためのＶカット溝に関し、前記左右のカット面が当接され且つ接着されていることを特徴とする請求項２、３又は４記載の紙製のパレット。
【請求項７】
前記Ｖカット溝の全てについて、前記左右のカット面が当接され且つ接着されていることを特徴とする請求項１〜４の何れかに記載の紙製のパレット。
【請求項８】
前記接着剤が、前記段ボールの波形のフルートとライナとにより形成された筒状部の前記カット面で開口された開口部分に入り込むと共に、該フルートや該ライナに染み込んだ状態で、前記板状部材が、前記Ｖカット溝の最深部を中心として折曲されており、且つ、前記左右の両カット面の開口部分に存する接着剤が一連に連なった状態で前記両カット面が接着一体化されていることを特徴とする請求項６又は７記載の紙製のパレット。
【請求項９】
前記第１のＶ字状折曲部を構成するＶカット溝が存する部分及びその両側の周辺部分の表裏面を覆うように、前記板状部材の表裏面に遮水性粘着テープが周方向で巻き付けられ、巻き付け端部分相互が重なっており、前記板状部材が、前記カット溝の最深部を中心として折曲され、該カット溝の前記左右のカット面が、該遮水性粘着テープを介在させて当接されていることを特徴とする請求項１〜８の何れかに記載の紙製のパレット。
【発明の詳細な説明】
【技術分野】
【０００１】
本発明は、積載荷重が大きい場合にもこれを安定的に支持し得る紙製のパレットに関す
るものである。
【背景技術】
【０００２】
Ｖ字状に折曲された桁材をデッキボードの下面に設けると共に、該Ｖ字状の桁材の下端
で床面等の被設置面に設置されるように構成された紙製のパレットの一例としては、例え
ば実開昭５６−６８６２８号公報（特許文献１）が開示するパレットや、特開平８−１３
３２８７号公報（特許文献２）が開示するパレットが提案されている。この種のパレット
ａは、例えば図２３や図２４に示すように、デッキボードｂの下面ｃの幅方向の両側及び
幅方向の中間部に、段ボールシートｄ（図２５）の折り曲げによって形成されたＶ字状の
桁材ｅ，ｅ，ｅを設けて構成されていた。
【０００３】
そして、該パレットａを組み立てるに際しては、先ず、図２５に示すように、横長に裁
断した段ボールシートｄに、その幅方向に平行して所要本数の折り線部ｆを設け、その後
、図２３、図２４に示すように、該段ボールシートｄを該折り線部ｆで折り曲げることに
よって、前記デッキボードｂの下面ｃ側で前記Ｖ字状の桁材ｅを形成すると共に、該桁材
ｅの上端縁ｈに水平固定片ｊを連設することとし、該水平固定片ｊを前記デッキボードｂ
の下面ｃに接着して該パレットａを構成するものであった。該パレットａは、このように
、段ボールシートｄを前記折り線部ｆで折り曲げて組み立てる構成のものであったため、
使用する段ボールシートｄは、該折り線部ｆで折り曲げることができる程度の柔らかい素
材のものに限られざるを得なかった。
【０００４】
従って、Ｖ字状の桁材ｅの強度アップを図るために、複数枚の段ボールを貼り合わせる
ことによって段ボールシートを構成した場合は、段ボールシートの全体厚さが厚くなるた
め、前記のようにして設けた折り線部ｆで該段ボールシートを折り曲げようとしても折り
曲げにくく、折り曲げの作業性が悪い問題があった。又、折り曲げることができた場合も
、Ｖ字状の桁材の下端部分が丸みを帯びてしまうため、パレットに積載される荷重が大き
い場合は該Ｖ字状の桁材が座屈し易い問題があった。かかることから、使用する段ボール
シートは、折り線部で折り曲げることができる程度の柔らかい素材のものに限られたので
あった。
【０００５】
ところで前記特許文献１、特許文献２には、これらの折り線部ｆを段ボールシートｄに
対してどのように設けるかは明記されていない。そこで、例えば図２６（Ａ）に示すよう
に、段ボールシートｄの波形のフルートｋの溝ｍの延長方向に折り線部ｆを設けたとすれ
ば、図２６（Ｂ）（Ｃ）に示すように、Ｖ字状の桁材ｅの下端部分ｐは、段ボールシート
ｄが薄肉に潰れて薄紙状を呈し且つ下端面ｑが円弧状面を呈したものとなってしまう。一
方図２７（Ａ）に示すように、フルートｋの溝ｍの延長方向と直交する方向に折り線部ｆ
を設けたときも、Ｖ字状の桁材ｅの下端部分ｐは、図２７（Ｂ）（Ｃ）に示すように、段
ボールシートｄが薄肉に潰れて薄紙状を呈し且つ下端面ｑが円弧状面を呈したものとなっ
てしまう。
【０００６】
段ボールの剛性は本来、図２６（Ａ）、図２７（Ａ）に示すように、波形に形成された
フルートｋをライナｓ，ｓ間に介在させることにより厚みを持たせたことによって得られ
るのであるが、このように薄紙状に潰れたＶ字状の桁材ｅの下端部分ｐでは、段ボールに
期待される剛性が発揮されないことになってしまう。かかることから、該下端部分ｐの剛
性は弱く、パレットａに積載荷重が加わった状態で横荷重が付加されたときに該Ｖ字状の
桁材ｅがぐらつき易い。又、前記のように下端面ｑが円弧状面を呈することから、前記デ
ッキボードｂに大きな積載荷重が加わったときには、前記Ｖ字状の桁材ｅの対向する傾斜
片ｔ，ｔが、例えば図２８、図２９に示すように外側に膨らみ変形しやすく、上からの荷
重に対して座屈し易かった。
【０００７】
特に図２６（Ａ）に示すように、段ボールシートｄの波形のフルートｋの溝ｍの延長方
向に折り線部ｆを設けた場合は、Ｖ字状の桁材ｅがフルートｋの溝部分で容易に折れ易い
ために、該Ｖ字状の桁材ｅの座屈が一層生じ易かった。
【０００８】
このように、Ｖ字状の桁材ｅを具える前記従来の段ボール製のパレットａは、Ｖ字状の
桁材ｅとデッキボードｂとによって強度的に安定した三角形構造部を形成せんとする着眼
には優れたものがあったが、柔らかい段ボール素材を折り曲げてＶ字状の桁材を構成して
いたために、積載荷重が大きい場合には該三角形構造部の本来の強度的性能を有効に発揮
させ難い問題があったのである。
【先行技術文献】
【特許文献】
【０００９】
【特許文献１】実開昭５６−６８６２８号公報
【特許文献２】特開平８−１３３２８７号公報
【発明の概要】
【発明が解決しようとする課題】
【００１０】
本発明は、前記従来の紙製のパレットの問題点に鑑みて開発されたものであり、古紙活
用によりリサイクル効率を向上させ得ると共に、積載荷重が大きい場合にもこれを安定的
に支持し得る強度を有し、しかも比較的軽量で取り扱い性に優れ、その上、製造コストの
低減も期し得る紙製のパレットの提供を課題とするものである。
【課題を解決するための手段】
【００１１】
前記課題を解決するため、本発明は以下の手段を採用する。
即ち、本発明に係る紙製のパレット（以下パレットという）は、デッキボードと、該デ
ッキボードを下方から支持する桁材とを具える紙製のパレットであって、前記デッキボー
ドと前記桁材は、波形に形成されたフルートがライナ間に介在されてなる紙製の段ボール
の表裏面に、紙管原紙の１枚乃至複数枚からなる板紙を貼り合わせてなる板状部材を用い
て構成されており、前記桁材は全て、下方に向けて細くなり且つ下端部分の第１のＶ字状
折曲部を介してＶ字状に形成されたＶ字状枠を具えており、該Ｖ字状枠の下端で被設置部
に設置されるものとなされている。そして、該第１のＶ字状折曲部は、前記板状部材が、
その一方の板紙側から他方の板紙側に向けて形成され該他方の板紙を切断しないように欠
切されたＶカット溝の最深部を中心として折曲され、且つ該Ｖカット溝の左右のカット面
が当接されることによって構成されており、又、該Ｖ字状枠の対向する傾斜片においては
、前記段ボールの前記波形のフルートの溝の延長方向が該傾斜片の傾斜方向に合致されて
いることを特徴とするものである。
【００１２】
本発明に係るパレットのより具体的な一態様は、デッキボードと、該デッキボードを下
方から支持する平行した複数の桁材とを具える紙製のパレットであって、前記桁材は、前
記デッキボードの幅方向の少なくとも両側に配置されるものであり、前記デッキボードと
前記桁材は、波形に形成されたフルートがライナ間に介在されてなる紙製の段ボールの表
裏面に、紙管原紙の１枚乃至複数枚からなる板紙を貼り合わせてなる板状部材を用いて構
成されており、前記桁材は全て、下方に向けて細くなり且つ下端部分の第１のＶ字状折曲
部を介してＶ字状に形成されたＶ字状枠を具えており、該Ｖ字状枠の下端で被設置部に設
置されるものとなされている。そして、前記デッキボードの幅方向の両側に配置される前
記桁材は、前記Ｖ字状枠の外の上端縁が前記デッキボードの側端に第２のＶ字状折曲部を
介して連設されており、又、該Ｖ字状枠の内の上端縁に、第３のＶ字状折曲部を介して、
前記デッキボードの下面に接着される水平固定片が該Ｖ字状枠の外方に向けて連設されて
おり、前記第１〜３の各Ｖ字状折曲部は、前記板状部材が、その一方の板紙側から他方の
板紙側に向けて形成され該他方の板紙を切断しないように欠切されたＶカット溝の最深部
を中心として折曲されて構成されており、少なくとも前記第１のＶ字状折曲部にあっては
、前記Ｖカット溝の左右のカット面が当接されており、又、前記Ｖ字状枠の対向する傾斜
片においては、前記段ボールの前記波形のフルートの溝の延長方向が該傾斜片の傾斜方向
に合致されていることを特徴とするものである。
【００１３】
本発明に係るパレットのより具体的な他の態様は、デッキボードと、該デッキボードを
下方から支持する平行した複数の桁材とを具える紙製のパレットであって、前記桁材は、
前記デッキボードの幅方向の両側に配置される側部の桁材と、該幅方向の中間部に配置さ
れる中間の桁材とからなり、前記デッキボードと前記桁材は、波形に形成されたフルート
がライナ間に介在されてなる紙製の段ボールの表裏面に、紙管原紙の１枚乃至複数枚から
なる板紙を貼り合わせてなる板状部材を用いて構成されており、前記桁材は全て、下方に
向けて細くなり且つ下端部分の第１のＶ字状折曲部を介してＶ字状に形成されたＶ字状枠
を具えており、該Ｖ字状枠の下端で被設置部に設置されるものとなされている。そして、
前記側部の桁材は、前記Ｖ字状枠の外の上端縁が前記デッキボードの側端に第２のＶ字状
折曲部を介して連設されており、又、該Ｖ字状枠の内の上端縁に、第３のＶ字状折曲部を
介して、前記デッキボードの下面に接着される水平固定片が該Ｖ字状枠の外方に向けて連
設されており、又、前記中間の桁材は、前記Ｖ字状枠の両上端縁の夫々に、第４のＶ字状
折曲部を介して、前記デッキボードの下面に接着される水平固定片が該Ｖ字状枠の外方に
向けて連設されており、前記第１〜４の各Ｖ字状折曲部は、前記板状部材が、その一方の
板紙側から他方の板紙側に向けて形成され該他方の板紙を切断しないように欠切されたＶ
カット溝の最深部を中心として折曲されており、少なくとも前記第１のＶ字状折曲部にあ
っては、前記Ｖカット溝の左右のカット面が当接されており、又、前記Ｖ字状枠の対向す
る傾斜片においては、前記段ボールの前記波形のフルートの溝の延長方向が該傾斜片の傾
斜方向に合致されていることを特徴とするものである。
【００１４】
本発明に係るパレットのより具体的なその他の態様は、デッキボードと、該デッキボー
ドを下方から支持する平行した複数の桁材とを具える紙製のパレットであって、前記桁材
は、前記デッキボードの幅方向の少なくとも両側に配置されるものであり、前記デッキボ
ードと前記桁材は、波形に形成されたフルートがライナ間に介在されてなる紙製の段ボー
ルの表裏面に、紙管原紙の１枚乃至複数枚からなる板紙を貼り合わせてなる板状部材を用
いて構成されており、前記桁材は全て、前記デッキボードとは別体であり、下方に向けて
細くなり且つ下端部分の第１のＶ字状折曲部を介してＶ字状に形成されたＶ字状枠を具え
ており、該Ｖ字状枠の下端で被設置部に設置されるものとなされている。そして、該Ｖ字
状枠の両上端縁の夫々に、第４のＶ字状折曲部を介して、前記デッキボードの下面に接着
される水平固定片が該Ｖ字状枠の外方に向けて連設されており、前記第１のＶ字状折曲部
と前記第４のＶ字状折曲部は、前記板状部材が、その一方の板紙側から他方の板紙側に向
けて形成され該他方の板紙を切断しないように欠切されたＶカット溝の最深部を中心とし
て折曲されることによって構成されており、少なくとも前記第１のＶ字状折曲部にあって
は、前記Ｖカット溝の左右のカット面が当接されており、又、前記Ｖ字状枠の対向する傾
斜片においては、前記段ボールの前記波形のフルートの溝の延長方向が該傾斜片の傾斜方
向に合致されていることを特徴とするものである。
【００１５】
前記の各パレットにおいて、前記Ｖ字状枠の対向する傾斜片においては、前記紙管原紙
の流れ目の方向（紙管原紙を製造する抄紙機から流れ出る方向）が該傾斜片の傾斜方向に
合致するように構成するのがよい。
【００１６】
前記のより具体的な各態様に係るパレットにおいて、前記Ｖカット溝の内、前記第１の
Ｖ字状折曲部を除いた他のＶ字状折曲部を構成するためのＶカット溝に関し、前記左右の
カット面が当接され且つ接着されたものとして構成するのがよい。
【００１７】
前記の各パレットにおいて、前記Ｖカット溝の全てについて、前記左右のカット面が当
接され且つ接着されたものとして構成するのがよい。
【００１８】
前記のように接着する場合、前記接着剤が、前記段ボールの波形のフルートとライナと
により形成された筒状部の前記カット面で開口された開口部分に入り込むと共に、該フル
ートや該ライナに染み込んだ状態とし、前記板状部材を、前記Ｖカット溝の最深部を中心
として折曲し、且つ、前記左右の両カット面の開口部分に存する接着剤が一連に連なった
状態で前記両カット面が接着一体化される如く構成するのがよい。
【００１９】
前記の各パレットにおいて、前記第１のＶ字状折曲部を構成するＶカット溝が存する部
分及びその両側の周辺部分の表裏面を覆うように、前記板状部材の表裏面に遮水性粘着テ
ープを周方向で巻き付け、巻き付け端部分相互を重ね、前記板状部材を、前記カット溝の
最深部を中心として折曲し、該カット溝の前記左右のカット面が、該遮水性粘着テープを
介在させて当接される如く構成するのがよい。
【発明の効果】
【００２０】
本発明に係るパレットは、以下の如き優れた効果を奏する。
(1) 本発明によるときは、環境に優しく、比較的軽量で取り扱い性が良好であり、しかも
製造コストの低減を期し得るパレットを提供できる。
より具体的には、本発明のパレットは、デッキボード及び桁部材を、紙製の段ボールや
紙管原紙を主体とした板状部材を用いて構成するため、リサイクル効率を向上させること
ができ、資源の有効活用を図ることができる。又、本発明のパレットは、デッキボード及
び桁部材を紙製の板状部材を用いて構成すると共に、該桁部材が、空洞部を有するＶ字状
枠を具えており、然も、下のデッキボードを省略して構成できるため、パレットの軽量化
を達成できパレットの取り扱い性を向上させることができる。
加えて本発明に係るパレットは、桁材を、空洞部を有するＶ字状枠を具えるものとして
構成することとし、又、下のデッキボードを省略して構成できるため、使用材料を削減で
き、パレットの製造コストの低減を期し得る。
【００２１】
(2) 本発明に係るパレットは、デッキボードと桁材を、段ボールの表裏面に紙管原紙から
なる板紙を貼り合わせてなる板状部材を用いて構成しているため、該板状部材は、剛性の
低い段ボールを用いながらも、紙管原紙が貼り合わせられることによって剛性が向上され
ている。従って該板状部材は、段ボールを積層しなくても所要の剛性を有するものとして
構成され得る。そして前記桁材は、該板状部材を、Ｖカット溝の最深部を中心として折曲
すると共に該Ｖカット溝の左右のカット面を当接して構成することとし、且つ、これによ
って形成されたＶ字状枠の対向する傾斜片においては、前記段ボールの波形のフルートの
溝の延長方向が傾斜片の傾斜方向に合致するようになされている。
かかることから本発明によるときは、ぐらつきのない安定構造の第１のＶ字状折曲部を
有するＶ字状枠によって、安定した三角形構造部を形成できる。然も、該Ｖ字状枠の対向
する傾斜片においては、段ボールの波形のフルートとライナとにより形成された筒状部の
延長方向（フルートの溝の延長方向）が該傾斜片の傾斜方向に合致され、該筒状部が傾斜
片の長さ方向に多数本並設された状態が得られることとなる。
従って本発明に係るパレットによるときは、安定した三角形構造部を構成する前記Ｖ字
状枠の傾斜片の傾斜方向で見た直線性が安定的に保持されることになるので、全体が紙製
でありながら、又、下のデッキボードを具えないにも拘わらず、積載荷重が大きい場合に
もこれを安定的に支持できることになる。
【００２２】
(3) 前記Ｖカット溝の左右のカット面に接着剤を塗布し、該接着剤が、両カット面で開口
された筒状部の開口部分に入り込むと共に前記フルートや前記ライナに染み込んだ状態と
し、その後、前記板状部材を前記Ｖカット溝の最深部を中心として折曲するときは、該両
カット面の開口部分に存する接着剤が一連に連なった状態で両カット面を接着一体化でき
ることになる。
該接着一体化状態で、前記フルートや前記ライナに染み込んでこれらと一体化した接着
剤硬化部が、前記開口部分に存して一連に連なった接着剤硬化物に対するアンカー作用を
発揮するため、該アンカー作用によって前記Ｖ字状折曲部が開きにくくなる。これによっ
て、前記Ｖ字状枠を具える前記三角形構造部の一層の強度向上を図ることができる。
【００２３】
(4) 前記桁材を構成するＶ字状枠の上端縁に、Ｖカット溝を介して、前記デッキボードの
下面に接着される水平固定片を連設する場合、該Ｖカット溝の左右のカット面を当接状態
とする構成を採用し且つ該両カット面を前記独特の接着手段を採用して接着一体化すると
きは、該水平固定片を前記デッキボードの下面に接着した状態で前記Ｖ字状枠の上端縁を
確実に位置固定できることになる。これによって、パレットによる積載荷重の支持状態の
安定性を向上させることができる。
【００２４】
(5) 特に、デッキボードの幅方向の両側に配置される側部の桁材を、デッキボードの側端
に第２のＶ字状折曲部を介して連設して構成するきは、Ｖ字状枠体の外の上端縁と内の上
端縁の夫々に水平固定片を連設する場合に比し、該Ｖ字状枠の下端を前記デッキボードの
側端に近接させることができる。このように構成するときは、前記デッキボードの側部分
にも積載荷重が付加される場合に、これを安定的に支持できて好ましい。
又このように連設することにより、側部の桁材が前記デッキボードと一連に構成された
状態となるため、該側部の桁材の安定性を向上させることができる。そして、このように
連設する場合は、Ｖ字状枠の両上端縁に水平固定片を連設する場合に比し、水平固定片の
接着手間を削減できる利点もある。
【００２５】
(6) 前記Ｖ字状枠の対向する傾斜片において、前記紙管原紙の流れ目の方向を該傾斜片の
傾斜方向に合致させる場合は、前記筒状部を弓形に湾曲させる荷重に対する抵抗力がより
一層向上したものとなり、より大きな積載荷重を安定的に支持できることとなる。
【００２６】
(7) 前記Ｖ字状枠の下端側の部分（下端及びその周辺部分）を、周方向で前記遮水性粘着
テープで被覆するときは、紙製のＶ字状枠の遮水処理を簡易且つ確実に行うことができる
と共に、被設置部が雨水等で濡れている場合に、該Ｖ字状枠が水分を吸収してパレットの
強度が低下するのを防止できることとなる。
【図面の簡単な説明】
【００２７】
【図１】本発明に係る二方向差しのパレットを上から見た斜視図である。
【図２】その下から見た斜視図である。
【図３】その正面図である。
【図４】パレットを構成する板状部材を示す斜視図と部分正面図である。
【図５】パレットの側部の桁材を示す正面図である。
【図６】その中間の桁材を示す正面図である。
【図７】桁材を示す一部欠切部分斜視図である。
【図８】デッキボードと側部の桁材とを構成する第１の板体を示す斜視図である。
【図９】その第１の板体を示す部分正面図である。
【図１０】その部分拡大図である。
【図１１】側部の桁材の部分構成を示す断面図である。
【図１２】中間の桁材を構成する第２の板体を示す斜視図である。
【図１３】その正面図である。
【図１４】中間の桁材の部分構成を示す断面図である。
【図１５】中間の桁材の他の態様を示す正面図である。
【図１６】桁材の下端側の部分を遮水処理した斜視図である。
【図１７】桁材の下端部分を遮水処理する作業工程を示す斜視図と正面図である。
【図１８】四方向差しのパレットを示す斜視図である。
【図１９】そのパレットを構成する桁材を示す正面図である。
【図２０】パレットのその他の実施例を示す正面図である。
【図２１】パレットのその他の実施例を示す正面図である。
【図２２】パレットのその他の実施例を示す正面図である。
【図２３】従来のパレットの一態様を示す斜視図である。
【図２４】従来のパレットのその他の態様を示す斜視図である。
【図２５】該一態様に係るパレットを形成するための、折り線部が設けられた段ボールシートを示す平面図である。
【図２６】該一態様に係るパレットの桁材を構成するための、折り線部が設けられた段ボールシートを示す部分斜視図と、該段ボールシートを用いて構成された桁材を示す正面図及びその部分拡大図である。
【図２７】該他の態様に係る桁材を構成するための、折り線部が設けられた段ボールシートを示す部分斜視図と、該段ボールシートを用いて構成された桁材を示す正面図及びその部分拡大図である。
【図２８】該一態様に係るパレットを構成する桁材が膨らみ変形する問題点を説明する正面図である。
【図２９】該他の態様に係るパレットを構成する桁材が膨らみ変形する問題点を説明する正面図である。
【発明を実施するための形態】
【実施例１】
【００２８】
図１〜３において本発明に係るパレット１は、平面視で例えば正方形状を呈するデッキ
ボード２と、該デッキボード２を下方から支持する平行した複数の桁材３を具えており、
フォークリフトやハンドリフトのフォークを二方向の何れからでも挿入可能となされた二
方向差しパレットとして構成されている。該桁材３は、本実施例においては、前記デッキ
ボード２の幅方向の両側に配置される側部の桁材３ａ，３ａと、該幅方向の中間部に配置
される中間の桁材３ｂの３本とからなる。正方形状を呈する前記デッキボード２は、本実
施例においては一辺長さが１１００ｍｍ程度であり、前記桁材３ａ，３ａ，３ｂの高さは
例えば８５〜９０ｍｍ程度に設定されている。
【００２９】
該デッキボード２と該側部の桁材３ａ，３ａと該中間の桁材３ｂは、共に図４に示すよ
うに、波形に形成されたフルート５（例えばＡフルート）がライナ６，６間に介在されて
なる紙製の段ボール７の表裏面９，１０に紙管原紙１１の１枚乃至複数枚（本実施例にお
いては１枚）からなる板紙１２，１２を貼り合わせてなる板状部材１３を用いて構成され
ている。該板状部材１３は、該フルート５と該ライナ６とにより形成された、一方向に延
長する孔部（前記フルート５の溝１５によって形成されている）１６が内在された筒状部
１７の多数本が、該溝１５の延長方向Ｆ１と直交する方向に並設されている。該紙管原紙
１１としては、本実施例においては、例えば約１ｍｍ厚さで坪量が６６０ｇ／ｍ2 〜７１
０ｇ／ｍ2 程度の高密度で圧縮強度が高いものを用いることができる。好ましくは、耐水
性の薬品を染み込ませてなる耐水性を有するものがよい。又、前記段ボール７のライナ６
に前記板紙１２を貼り合わせるための接着剤としては、例えば酢酸ビニル樹脂エマルジョ
ンを用いることができる。前記板状部材１３の全体肉厚は７．５ｍｍ程度に設定されてい
る。
【００３０】
そして前記側部の桁材３ａ，３ａと前記中間の桁材３ｂは、図３、図５、図６に示すよ
うに、Ｖカット溝１９（図１０、図１３）で折曲して形成された第１のＶ字状折曲部２０
を下端部分として有するＶ字状枠２１を具えており、内部に空洞部１８を有し、該Ｖ字状
枠２１の下端２２でコンクリート面等の被設置部２３に設置される。この下端２２は、実
際には若干の丸味を帯びるが、図５、図６においては便宜上、点状に示されている。従っ
て本発明に係るパレット１は、図３に一点鎖線で示すような下側のデッキボード２５を具
備してはいない。
【００３１】
又、図５〜７に示すように、前記Ｖ字状枠２１の対向する傾斜片２６，２６においては
、前記段ボール７の前記フルート５の溝１５の延長方向Ｆ１（図４）が該傾斜片２６の傾
斜方向Ｆ２（図４）に合致されている。換言すれば、前記筒状部１７の延長方向Ｆ３が該
傾斜片２６の傾斜方向Ｆ２に合致されている。
【００３２】
前記側部の桁材３ａ，３ａは、図２〜３、図５に示すように、前記Ｖ字状枠２１の外の
上端縁２７が前記デッキボード２の側端２９に第２のＶ字状折曲部３０を介して連設され
ると共に、その内の上端縁３１に、第３のＶ字状折曲部３２を介して、前記デッキボード
２の下面３３に接着される水平固定片３５が該Ｖ字状枠２１の外方に向けて連設されてい
る。前記Ｖ字状枠２１は、左右非対称のＶ字状形態に構成されており、該Ｖ字状枠２１の
外側に位置する傾斜片２６ａの垂直線Ｌに対する傾斜角度θ１は８度程度と小さく設定さ
れると共に、内側の傾斜片２６ｂの垂直線Ｌに対する傾斜角度θ２は４０度程度と大きく
設定されていて、前記Ｖ字状枠２１の下端２２を通る垂直線Ｌと前記デッキボード２との
交点３７は、前記デッキボード２の前記側端２９から１０〜３０ｍｍの範囲に位置してい
る。本実施例においては、該交点３７と前記デッキボード２の該側端２９との間の距離が
１０ｍｍ程度に設定されている。そして、前記側部の桁材３ａに設けられている前記水平
固定片３５の幅は例えば６０ｍｍ程度に設定されている。
【００３３】
又、前記中間の桁材３ｂは、図２〜３、図６に示すように、二等辺三角形状を呈する左
右対称のＶ字状枠２１を具えており、該Ｖ字状枠２１の対向する傾斜片２６，２６の垂直
線Ｌに対する傾斜角度θ３，θ４は等しく、例えば４５度程度に設定されている。そして
、前記Ｖ字状枠２１の両上端縁３９，３９の夫々に、第４のＶ字状折曲部４０を介して、
前記デッキボード２の下面３３に接着される水平固定片３５，３５が該Ｖ字状枠２１の外
方に向けて連設されている。該水平固定片３５，３５の幅は例えば６０ｍｍ程度に設定さ
れている。
【００３４】
本実施例においては、前記デッキボード２とその両側端２９，２９に連設されてなる前
記側部の桁材３ａ，３ａは、図８〜９に示すような、前記板状部材１３を用いてなる第１
の板体４１を用いて構成されると共に、前記中間の桁材３ｂは、該第１の板体４１とは別
体の、前記板状部材１３を用いてなる第２の板体４２を用いて構成されている。
【００３５】
前記第１の板体４１は、図８〜１０に示すように横長矩形板状を呈しており、前記デッ
キボード２を形成するデッキボード形成部分４３の前記フルート５の溝１５の延長方向Ｆ
１（図４）で見た両側に、前記Ｖ字状枠２１を構成するＶ字状枠形成部分４５が連設され
ると共に、該Ｖ字状枠形成部分４５には、前記水平固定片３５，３５を形成する水平固定
片形成部分４６，４６が連設されている。
【００３６】
かかる構成を有する第１の板体４１の前記夫々の連設部位と、前記Ｖ字状枠形成部分４
５の長さ方向の中央部位において、所要の開口角度θでＶカット溝１９が設けられている
。今、このＶカット溝１９を、図８〜１０に示すように、前記デッキボード形成部分４３
の端部に設けられているものから順に、第１のＶカット溝１９ａ、第２のＶカット溝１９
ｂ、第３のＶカット溝１９ｃとする。これらのＶカット溝１９ａ，１９ｂ，１９ｃは、前
記フルート５が形成する溝１５の延長方向Ｆ１と直交する方向で設けられ、平行している
。
【００３７】
各Ｖカット溝１９ａ，１９ｂ，１９ｃは同様の構成を有しており、図１０に示すように
、一方の板紙１２ａ側から他方の板紙１２ｂ側に向けて欠切され、該他方の板紙１２ｂを
切断しないように設けられている。そして該第１の板体４１が、図１１に示すように、前
記第１のＶカット溝１９ａ、第２のＶカット溝１９ｂ、第３のＶカット溝１９ｃの最深部
４７（図１０）を中心として折曲され各Ｖカット溝の左右のカット面４９，５０（図１０
）が夫々当接されることによって、図１１（Ａ）に示すように、前記Ｖ字状枠２１の外の
上端縁２７が前記デッキボード２の側端２９に第２のＶ字状折曲部３０を介して連設され
、又図１１（Ｃ）に示すように、該Ｖ字状枠２１の内の上端縁３１に、第３のＶ字状折曲
部３２を介して、前記デッキボード２の下面３３に接着される前記水平固定片３５が該Ｖ
字状枠２１の外方に向けて連設されてなる、前記側部の桁材３ａが構成されることになる
。該カット面４９，５０の当接によって、前記左右の非対称の側部の桁材３ａを構成でき
るように、前記Ｖカット溝１９の開口角度θ（図１０）は、第１のＶカット溝１９ａと第
２のＶカット溝１９ｂと第３のＶカット溝１９ｃにおいて異ならせてある。
【００３８】
特に本実施例においては、前記Ｖカット溝１９の左右のカット面４９，５０は接着によ
り当接一体化されている。そのために、前記左右のカット面４９，５０に接着剤５１が塗
布されるのであるが、該接着剤５１は、前記筒状部１７の前記カット面４９，５０で開口
された開口部分５２，５２に入り込み、前記フルート５や前記ライナ６に染み込んだ状態
とされる。
【００３９】
然して、このようにして接着剤を塗布して後、図１１（Ａ）（Ｂ）（Ｃ）に示すように
、該第１の板体４１（即ち、前記板状部材１３）を前記Ｖカット溝１９の最深部４７を中
心として折曲すると、前記の各筒状部１７が平行状態にある段ボール７の構造上、左右の
カット面４９，５０の開口部分５２，５２に存する接着剤５１が一連に連なった状態で該
両カット面４９，５０が接着一体化される。これにより、下端２２が鋭角を呈してＶ字形
状が明確なＶ字状枠２１を構成できることになる。該接着剤としては、例えば酢酸ビニル
樹脂エマルジョンを用いることができる。
【００４０】
この接着一体化についてより詳しく説明すれば、前記第１〜第３の各Ｖ字状折曲部２０
，３０，３２においては、図１１（Ａ）（Ｂ）（Ｃ）に示すように、前記カット面４９，
５０の前記開口部分５２，５２に存する接着剤５１，５１が一連に連なった状態にあり、
然も、該開口部分５２，５２に存する接着剤５１，５１が前記フルート５と前記ライナ６
に染み込んだ状態にある。かかることから、該接着剤５１が硬化して両カット面４９，５
０が接着一体化された状態では、該フルート５や該ライナ６に染み込んで硬化してこれら
と一体化した接着剤硬化部５３が、前記開口部分５２，５２に存して一連に連なった接着
剤硬化物５５に対するアンカー作用を発揮する。従って、一連に連なった該接着剤硬化物
５５が、各Ｖ字状折曲部２０，３０，３２の開きに対して大きく抵抗することになるので
、両カット面４９，５０が剥離しにくい強度的安定性に優れたＶ字状折曲部を構成できる
ことになる。
【００４１】
前記第２の板体４２（即ち、前記板状部材１３）は、図１２〜１３に示すように、矩形
板状を呈し、前記Ｖ字状枠２１を構成する前記Ｖ字状枠形成部分４５の前記フルート５の
溝１５の延長方向Ｆ１（図４）で見た両側に、前記水平固定片３５，３５を構成する水平
固定片形成部分４６，４６が連設されている。そして、該第２の板体４２の、前記Ｖ字状
枠形成部分４５の長さ方向の中央部位と、前記Ｖ字状枠形成部分４５と前記水平固定片形
成部分４６との連設部位において、所要の開口角度θで、第４のＶカット溝１９ｄと第５
のＶカット溝１９ｅと第６のカット溝１９ｆが平行状態で設けられている。前記Ｖカット
溝１９の開口角度θは、前記左右のカット面４９，５０の当接によって、前記水平固定片
３５，３５と、二等辺三角形状を呈する左右対称のＶ字状枠２１を構成できるように、第
５のＶカット溝１９ｅと第６のＶカット溝１９ｆについては同一であるが、第４のＶカッ
ト溝１９ｄについては、これらと異なっている。
【００４２】
然して、前記第１の板体４１における場合と同様に、前記の各Ｖカット溝１９ｄ，１９
ｅ，１９ｆの左右のカット面４９，５０に接着剤５１を塗布して後、該第２の板体４２を
、該Ｖカット溝１９ｄ，１９ｅ，１９ｆの夫々の最深部４７を中心として折曲すると、両
カット面４９，５０が図１４（Ｂ）に示すように接着一体化され、これにより、下端２２
が鋭角を呈するＶ字状枠２１を構成できることになる。これによって、該Ｖ字状枠２１の
両上端縁３９，３９の夫々に、第４のＶ字状折曲部４０，４０を介して、前記デッキボー
ド２の下面３３に接着される前記水平固定片３５，３５が該Ｖ字状枠２１の外方に向けて
連設されてなる、前記中間の桁材３ｂが構成されることになる。
【００４３】
このようにして構成された前記中間の桁材３ｂと前記側部の桁材３ａ，３ａを前記デッ
キボード２の下面３３に接着して図１〜３に示すパレット１を構成するに際しては、側部
の桁材３ａ，３ａの中間部位（本実施例においては中央部位）において、両側部の桁材３
ａ，３ａと平行する状態に中間の桁材３ｂを位置決めした後、図２に示すように、各桁材
の水平固定片３５を前記デッキボード２の下面３３に接着する。該パレット１においては
、各Ｖ字状枠２１，２１，２１の、対向する傾斜片２６，２６において、図５〜７に示す
ように、前記フルート５の溝１５の延長方向Ｆ１（即ち、前記筒状部１７の延長方向Ｆ３
）が該傾斜片２６の傾斜方向に合致されている。
【００４４】
前記構成のパレット１において前記第１のＶ字状折曲部２０は、パレット１に積載荷重
が掛かっても口が開きにくいため、前記Ｖカット溝１９で折曲する際に接着剤を介在させ
なくてもよい。
【００４５】
特に本実施例においては、前記Ｖ字状枠２１の対向する傾斜片２６，２６において、前
記紙管原紙１１の流れ目の方向（紙管原紙を製造する抄紙機から流れ出る方向）Ｆ４を、
該傾斜片２６の傾斜方向に合致させている。
【００４６】
かかる構成を有するパレット１によるときは、以下の第１〜第４の理由により、積載荷
重が大きい場合（例えば３００〜１０００ｋｇの中重量物を積載する場合）にもこれを安
定的に支持できる。
【００４７】
第１の理由は、前記側部の桁材３ａ，３ａの有するＶ字状枠２１，２１と前記中間の桁
材３ｂの有するＶ字状枠２１が、前記デッキボード２との組み合わせで、強度的に安定し
た三角形構造部５６を形成できるからである。より具体的に説明すれば、前記Ｖ字状枠２
１，２１，２１の下端部分を構成する前記第１のＶ字状折曲部２０は、前記板状部材１３
をＶカット溝１９で折曲して構成されており、第１のＶ字状折曲部２０の、下端２２で見
た上下方向の厚さが該板状部材１３の厚さ以上に大きい。この点、前記従来のパレット１
においては、図２６〜２７に示すように、Ｖ字状折曲部が潰れて薄紙状を呈しているのと
明らかに異なる。かかることから本発明のパレット１においては、第１のＶ字状折曲部２
０が強度的に安定している。特に本実施例においてはＶカット溝１９の左右のカット面４
９，５０が接着一体化されているため、両カット面４９，５０が離れにくく、第１のＶ字
状折曲部２０の強度的安定性が一層向上されている。そして、前記デッキボード２の側端
２９に連設された前記側部の桁材３ａ，３ａの前記水平固定片３５，３５と、前記中間の
桁材３ｂの両水平固定片３５，３５が前記デッキボード２の下面３３に接着されているた
め、前記Ｖ字状枠２１，２１，２１の両上端縁２７，３１、２７，３１、３９，３９は、
前記デッキボード２に対して位置固定された状態にある。
【００４８】
それ故、前記側部の桁材３ａ，３ａの有するＶ字状枠２１，２１と前記デッキボード２
との組み合わせによって、又、前記中間の桁材３ｂと前記デッキボード２との組み合わせ
によって、強度的に安定した三角形構造部５６を構成でき、これによって、積載荷重を安
定的に支持できるというのが第１の理由なのである。特に本実施例において、前記第１〜
第４のＶ字状折曲部２０，３０，３２，４０は、左右のカット面４９，５０が当接され且
つ接着されていて強度が高いために、前記三角形構造部５６は強度的安定により優れたも
のとなっており、積載荷重をより安定的に支持できることとなる。
【００４９】
第２の理由は、前記デッキボード２に加わった積載荷重に対して、前記Ｖ字状枠２１，
２１，２１の夫々の対向する傾斜片２６，２６の直線性を保持できるからである。より具
体的に説明すれば、前記Ｖ字状枠２１，２１，２１の夫々の対向する傾斜片２６，２６に
おいては、前記段ボール７の前記フルート５の溝１５の延長方向Ｆ１が該傾斜片２６の傾
斜方向Ｆ２に合致されているので、前記フルート５と前記ライナ６とによって形成された
筒状部１７の延長方向Ｆ３が該傾斜片２６の傾斜方向Ｆ２に合致し、該多数本の筒状部１
７が前記Ｖ字状枠２１の延長方向に並設された状態となる。
【００５０】
かかる並設状態の筒状部１７は良好な曲げ強度（該筒状部１７の延長方向Ｆ１を弓形に
湾曲させにくい曲げ強度）を発揮することから、前記デッキボード２に加わった積載荷重
に対して、前記Ｖ字状枠２１，２１，２１の夫々の対向する傾斜片２６，２６の直線性を
保持でき、前記デッキボード２に加わった積載荷重に対して前記傾斜片２６，２６が膨ら
み変形するのを防止できるからである。
【００５１】
第３の理由は、紙管原紙１１からなる板紙１２を前記紙製の段ボール７の表裏面９，１
０に貼り合わせることによって前記板状部材１３を構成しているためである。より具体的
に説明すれば、本発明に係るパレット１は、比較的安価に製造できることと、リサイクル
効率の向上、比較的軽量化による取り扱い性向上等を目的として紙製の段ボールを主要材
料として構成されるものであるが、該紙製の段ボール７は柔らかくて形態保形に難がある
。そこで本発明に係るパレット１は、かかる紙製の段ボール７の有利性をそのまま生かし
つつ、その一方で、古紙を原料にしながらも硬質で耐衝撃性に優れ又形態保形性にも優れ
る硬質の紙管原紙に着眼し、前記段ボールを該紙管原紙１１で補強してなる前記板状部材
１３を用いて構成している。かかる板状部材１３を用いる結果、強度的安定性に優れる前
記三角形構造部５６を形成できると共に、傾斜片２６，２６の直線性をより確実に保持で
き、前記第１の理由、前記第２の理由で述べた作用効果を一層確実に発揮させることがで
きるからである。
【００５２】
又、前記Ｖ字状枠２１の上端縁と前記水平固定片３５との接続部分５７が強度の高い紙
管原紙１１の折曲によって形成されているために、図１１、図１４に示すようにＶカット
溝１９の左右のカット面４９，５０が当接状態にあるときは元より、図１５に示すように
Ｖカット溝１９の左右のカット面４９，５０が当接状態にないときも、該接続部分５７は
位置固定されてぐらつきが生じにくいからである。図２３、図２４に示す従来のパレット
ａにあっては、段ボールシートｄを折り線部ｆで折り曲げることによって、前記Ｖ字状の
桁材ｅと前記水平固定片ｊを構成していたため、該水平固定片ｊを前記デッキボードｂの
下面ｃに接着した場合に、Ｖ字状の桁材ｅの上端縁ｈと水平固定片ｊとの接続部分が、段
ボールシートｄが潰れて薄紙状を呈したため、該接続部分は、位置固定されずにぐらつき
が生ずる恐れがあったが、本発明に係るパレット１によるときは、かかるぐらつきを防止
できるのである。
【００５３】
第４の理由は、特に本実施例においては、前記紙管原紙１１の流れ目の方向（紙管原紙
を製造する抄紙機から流れ出る方向）Ｆ４を、前記段ボール７の前記筒状部１７の延長方
向Ｆ３に合わせているため、該筒状部１７を弓形に湾曲させる荷重に対する抵抗力がより
一層向上したものとなり、従って、より大きな積載荷重であってもこれを安定的に支持で
きることになるからである。
【００５４】
又本実施例おいては、前記側部の桁材３ａ，３ａを前記デッキボード２の側端２９に連
設しているため、該側部の桁材３ａ，３ａを構成するＶ字状枠２１，２１は、その下端の
第１のＶ字状折曲部２０を前記デッキボード２の側端２９に近接させて設けることができ
る。例えば、デッキボード２の該側端２９から１０〜３０ｍｍ程度、内側に控えた部位に
位置させることができる。このように構成するときは、前記デッキボード２の側部分にも
積載荷重が付加される場合、これを安定的に支持できて好ましい。
【００５５】
前記パレット１は、前記Ｖ字状枠２１，２１，２１の下端２２，２２，２２が、屋外の
コンクリート面等としての被設置部２３に設置されることもある。該被設置部２３が雨水
等で濡れている場合は、該Ｖ字状枠２１が水分を吸収してパレットの強度低下を来す恐れ
がある。図１６は、そのための対策の一つを示すものであり、該Ｖ字状枠２１の下端２２
及びその周辺部分５９，５９を、例えば塩化ビニル製等の薄肉の遮水性粘着テープ６０で
被覆している。
【００５６】
遮水性粘着テープ６０で被覆する場合の一例としては、前記第１の板体４１及び前記第
２の板体４２をＶカット溝１９で屈曲するに先立って、例えば図１７に示すように、前記
第１のＶ字状折曲部２０を構成するＶカット溝１９（前記第１のＶカット溝１９ａ、前記
第４のＶカット溝１９ｄ）が存する部分６１及びその両側の周辺部分６２，６２の表裏面
６３，６５を覆うように、前記第１の板体４１や前記第２の板体４２の表裏面６３，６５
に遮水性粘着テープ６０を周方向で巻き付ける。該遮水性粘着テープ６０の巻き付け端部
分６４，６４相互は重ねる。その後、図１６に示すように、前記第１の板体４１及び前記
第２の板体４２を、前記Ｖカット溝１９の最深部４７（図１７）を中心にして折曲し、該
Ｖカット溝１９の左右のカット面４９，５０を、該遮水性粘着テープ６０を介在させて当
接状態にする。これにより、薄肉の遮水性粘着テープ６０が左右のカット面４９，５０間
に介在されることになるが、該遮水性粘着テープ６０は薄肉であるために、形成されたＶ
字状枠２１を含む三角形構造部５６の強度的な安定性を阻害しない。そして前記Ｖ字状枠
２１の下端２２及びその両側の周辺部分５９，５９が遮水性粘着テープ６０で一連に被覆
されて、これらの部分が全周に亘って遮水された状態にあるため、被設置部２３が雨水等
で濡れている場合にも、紙製の該Ｖ字状枠２１が水分を吸収してパレットの強度低下を来
す恐れを回避できることとなる。
【００５７】
なお、使用する遮水性粘着テープ６０の幅寸法は、Ｖ字状枠２１の遮水すべき部分の領
域を考慮して適宜に設定されるが、本実施例においては例えば１００ｍｍ程度である。従
って、Ｖ字状枠２１の対向する傾斜片２６，２６の下側の部分を、その内外において５０
ｍｍ程度の幅で被覆できる。
【００５８】
このように遮水性粘着テープ６０で被覆する代わりに、前記Ｖ字状枠２１に、シリコン
樹脂等の遮水剤をスプレーしたり塗布することもできる。前記Ｖ字状枠２１の表面は紙管
原紙１１で覆われると共に、図１６に示すように、Ｖ字状枠２１の両側端面６６，６６に
は、前記フルート５の側面６７が現れており、フルートの溝１５は現れていないため、溝
１５に遮水剤が入り込まないことから、より少ない遮水剤で効果的に遮水できることにな
る。又、前記のように遮水性粘着テープ６０によって被覆された部分の上側に、図１６に
示すように、被覆されていない部分６９が生ずる場合は、この部分６９に前記遮水剤をス
プレーしたり塗布することとすれば、Ｖ字状枠２１の遮水効果を向上させることができて
好ましい。
【実施例２】
【００５９】
図１８は、本発明に係るパレット１の他の実施例を示すものであり、フォークリフトや
ハンドリフトのフォークを四方向の何れからでも挿入可能となされた四方向差しパレット
として構成されている。デッキボード２は、平面視で横長の矩形板状を呈しており、その
短辺長さは例えば１１００ｍｍで、その長辺長さは例えば１６００ｍｍに設定されている
。該デッキボード２の下面３３の四隅部６９，６９，６９，６９と、各辺の中間部分７０
，７０，７０，７０と、該下面３３の中央部分７１の夫々に、桁材３が設けられている。
【００６０】
該桁材３は、前記と同様の構成を有しており、図１９に示すように、例えば二等辺三角
形状を呈するＶ字状枠２１の両上端縁３９，３９の夫々に、前記第４のＶ字状折曲部４０
，４０を介して、前記デッキボード２の下面３３に接着される水平固定片３５，３５が、
該Ｖ字状枠２１の外方に向けて連設されている。そして、前記Ｖ字状枠２１の対向する傾
斜片２６，２６においては、前記段ボール７の前記フルート５の溝１５の延長方向Ｆ１が
該傾斜片２６の傾斜方向Ｆ２に合致されている。換言すれば、前記筒状部１７の延長方向
Ｆ３が該傾斜片２６の傾斜方向Ｆ２に合致されている。
【００６１】
前記第４のＶ字状折曲部４０は、図１５に示すと同様に、Ｖカット溝１９の左右のカッ
ト面４９，５０が当接状態とされないこともあるが、図１８〜１９においては、両カット
面４９，５０が当接されると共に、前記と同様にして接着されている。又本実施例におい
ては、より大きな積載荷重を安定的に支持できるようにするために、前記Ｖ字状枠２１の
対向する傾斜片２６，２６において、前記紙管原紙の流れ目の方向Ｆ４が、該傾斜片２６
の傾斜方向Ｆ２に合致されている。又本実施例においては、パレットの揺れに対する抵抗
力を向上させるために、一例として、対向する短辺の前記中間部分に存する桁材３ｃ，３
ｄにおけるＶ字状枠２１の有する空洞部１８の延長方向Ｆ５を、その他の桁材３ｅにおけ
るＶ字状枠２１の空洞部７２の延長方向Ｆ６とは異ならせてある。
【実施例３】
【００６２】
本発明は、前記実施例で示したものに限定されるものでは決してなく、「特許請求の範
囲」の記載内で種々の設計変更が可能であることはいうまでもない。その一例を挙げれば
次のようである。                                                                
【００６３】
(1) 本発明に係るパレット１は、積載物の種類や大きさ、その重量、積載物の個数、又、
デッキボード２上のどの部分にどの程度の荷重が加わるのか、更には、パレット１の移動
をフォークリフトで行うのかハンドリフトで行うのか等のパレット移動手段等の各種の使
用条件を考慮して、所要に構成されるものである。
これらの使用条件に応じて、デッキボード２の大きさやその形状、厚さ、デッキボード
２の上部の形態（積載物の形状に合わせて、デッキボードの上側に箱状収容部を形成する
等）等が設定される。又、前記デッキボード２のどの部分にどの程度の大きさの桁材を配
置するのか、即ち、前記Ｖ字状枠２１の幅や高さ、そのＶ字状の形態、或いは、水平固定
片３５の突出量をどの程度に設定するのか、等が検討されるものである。
【００６４】
(2) 例えば、積載荷重が大きい場合は、前記デッキボード２や前記桁材３を構成するため
に用いられる前記板状部材１３を、ＡＡフルートを用いた複両面段ボールの他、ＡＢフル
ートを用いた複両面段ボールや、ＡＣフルートを用いた複両面段ボール等、所要構成の紙
製の段ボールを用いて構成できる。又、段ボール７の表裏面９，１０に貼り合わせる紙管
原紙１１を複数枚に設定したり、前記デッキボード２上に、例えば前記板状部材からなる
補強板を貼り合わせることもある。
【００６５】
(3) 逆に、積載物が比較的軽量であるときは、例えば図２０に示すように、前記実施例に
おける中間の桁材３ｂを省略してデッキボード２の両側にのみ桁材３，３を配置すること
もある。
【００６６】
(4) 又、デッキボード２上での積載物の載置状態によっては、デッキボード２の両側に配
置される側部の桁材３ａ，３ａを、前記のようにデッキボード２と一連に構成するのでは
なく、図２１に示すように、デッキボード２とは別体の桁材３を用いて構成しその両側の
水平固定片３５，３５を該デッキボード２の下面３３に接着することもある。
特にデッキボードの左右幅が市販品の最大幅よりも大きいときは、側部の桁材３ａをデ
ッキボード２の側端２９に連設できるだけの寸法を確保できないため、両側の側部の桁材
３ａ，３ａを、デッキボード２とは別体の桁材３を用いて形成せざるを得ない。
【００６７】
(5) 又、前記桁材３の高さや、桁材３，３間の間隔は、パレットの使用目的に応じて、フ
ォークリフトのフォークやハンドリフトのフォークの挿入が可能となるように適宜に設定
される。
【００６８】
(6) Ｖ字状枠のぐらつきを確実に防止するためには、前記のように、Ｖ字状枠２１の上端
縁と水平固定片３５との間に介在されるＶカット溝１９の両カット面４９，５０相互を接
着するのがよい。しかし、積載荷重が比較的軽量な場合は、積載荷重を所要に支持できる
限り、製造手間を削減して製造コストの低減を図る観点から、前記Ｖカット溝１９の左右
のカット面４９，５０を当接させる際にカット面４９，５０相互を接着しないこともある
。又、図１５に示すように、Ｖ字状枠２１の上端に前記水平固定片３５を折曲形成する際
、Ｖカット溝１９の左右のカット面４９，５０を当接させないこともある。
【００６９】
(7) 前記桁材３は、図２２に示すように、前記と同様構成のＶ字状枠２１の複数個を平行
して連設した場合を示している。その個数は、パレットに積載される荷重の大きさを考慮
して設定されるものであり、図２２においては、中間の桁材３ｂを２個に設定している。
【００７０】
(8) 前記桁材３に連設される前記水平固定片３５は、パレット１の強度向上を図るために
、前記実施例で示したものよりも長く形成されることがあり、例えば、隣り合う桁材の水
平固定片３５，３５の先端相互が当接乃至近接状態とされることもある。
【符号の説明】
【００７１】
１  パレット
２  デッキボード
３  桁材
３ａ  側部の桁材
３ｂ  中間の桁材
５  フルート
６  ライナ
１１  紙管原紙
１２  板紙
１３  板状部材
１５  溝
１６  孔部
１７  筒状部
１９  Ｖカット溝
２０  第１のＶ字状折曲部
２１  Ｖ字状枠
２２  下端
２３  被設置部
２６  傾斜片
２７  外の上端縁
２９  側端
３０  第２のＶ字状折曲部
３１  内の上端縁
３２  第３のＶ字状折曲部
３３  デッキボードの下面
３５  水平固定片
３７  交点
３９  上端縁
４０  第４のＶ字状折曲部
４１  第１の板体
４２  第２の板体
４９  カット面
５０  カット面
５１  接着剤
５２  開口部分
５３  接着剤硬化部
５５  接着剤硬化物
５６  三角形構造部
６０  遮水性粘着テープ
【図１】
2012012058.tif 000003
【図２】
2012012058.tif 000004
【図３】
2012012058.tif 000005
【図４】
2012012058.tif 000006
【図５】
2012012058.tif 000007
【図６】
2012012058.tif 000008
【図７】
2012012058.tif 000009
【図８】
2012012058.tif 000010
【図９】
2012012058.tif 000011
【図１０】
2012012058.tif 000012
【図１１】
2012012058.tif 000013
【図１２】
2012012058.tif 000014
【図１３】
2012012058.tif 000015
【図１４】
2012012058.tif 000016
【図１５】
2012012058.tif 000017
【図１６】
2012012058.tif 000018
【図１７】
2012012058.tif 000019
【図１８】
2012012058.tif 000020
【図１９】
2012012058.tif 000021
【図２０】
2012012058.tif 000022
【図２１】
2012012058.tif 000023
【図２２】
2012012058.tif 000024
【図２３】
2012012058.tif 000025
【図２４】
2012012058.tif 000026
【図２５】
2012012058.tif 000027
【図２６】
2012012058.tif 000028
【図２７】
2012012058.tif 000029
【図２８】
2012012058.tif 000030
【図２９】
2012012058.tif 000031